(57)【特許請求の範囲】
【請求項１】
波長多重信号光を増幅する光増幅器と、前記光増幅器の出力レベルを検出する出力検出手段と、前記出力検出手段により検出される出力レベルに応じて前記光増幅器の出力レベルを制御する出力制御手段と、前記光増幅器の波長に関する利得傾斜を検出する利得傾斜検出手段と、前記利得傾斜検出手段により検出される利得傾斜に応じて前記光増幅器の利得傾斜を制御する利得傾斜制御手段と、を有し、
前記出力制御手段および前記利得傾斜制御手段は、出力信号光における各波長帯毎に所望の利得傾斜を与えつつ、該出力信号光の全波長帯における出力レベルを一定に制御することを特徴とする光中継増幅装置。
【請求項２】
波長多重信号光を増幅する光増幅器と、前記光増幅器の出力信号光を減衰する光可変減衰器と、前記光可変減衰器の出力側で出力レベルを検出する出力検出手段と、前記出力検出手段により検出される出力レベルに応じて前記光可変減衰器による出力信号光の減衰量を制御する出力制御手段と、前記光増幅器の波長に関する利得傾斜を検出する利得傾斜検出手段と、前記利得傾斜検出手段により検出される利得傾斜に応じて前記光増幅器の励起光源の出力光を調節して利得傾斜を制御する利得傾斜制御手段と、を有し、
前記出力制御手段および前記利得傾斜制御手段は、出力信号光における各波長帯毎に所望の利得傾斜を与えつつ、該出力信号光の全波長帯における出力レベルを一定に制御することを特徴とする光中継増幅装置。
【請求項３】
波長多重信号光を増幅する光増幅器と、前記光増幅器の出力信号光を減衰する光可変減衰器と、前記光可変減衰器の出力側で出力レベルを検出する出力検出手段と、前記出力検出手段により検出される出力レベルに応じて前記光増幅器の励起光源の出力光を制御する出力制御手段と、前記光増幅器の波長に関する利得傾斜を検出する利得傾斜検出手段と、前記利得傾斜検出手段により検出される利得傾斜に応じて前記光可変減衰器による出力信号光の減衰量を調節して利得傾斜を制御する利得傾斜制御手段と、を有し、
前記出力制御手段および前記利得傾斜制御手段は、出力信号光における各波長帯毎に所望の利得傾斜を与えつつ、該出力信号光の全波長帯における出力レベルを一定に制御することを特徴とする光中継増幅装置。
【請求項４】
波長多重信号光を増幅する光増幅器と、前記光増幅器への入力信号光の伝播方向と順方向に伝播する補償光を注入する補償光源と、前記光増幅器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記補償光源の出力光を制御する出力制御手段と、前記光増幅器の利得傾斜を検出する利得傾斜検出手段と、前記利得傾斜検出手段により検出される利得傾斜に応じて前記光増幅器の励起光源の出力光を調節して利得傾斜を制御する利得傾斜制御手段と、を有し、
前記出力制御手段および前記利得傾斜制御手段は、出力信号光における各波長帯毎に所望の利得傾斜を与えつつ、該出力信号光の全波長帯における出力レベルを一定に制御することを特徴とする光中継増幅装置。
【請求項５】
波長多重信号光を増幅する光増幅器と、前記光増幅器への入力信号光の伝播方向と順方向に伝播する補償光を注入する補償光源と、前記光増幅器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記光増幅器の励起光源の出力光を制御する出力制御手段と、光増幅器の利得傾斜を検出する利得傾斜検出手段と、前記利得傾斜検出手段により検出される利得傾斜に応じて前記補償光源の出力光を調節して利得傾斜を制御する利得傾斜制御手段と、を有し、
前記出力制御手段および前記利得傾斜制御手段は、出力信号光における各波長帯毎に所望の利得傾斜を与えつつ、該出力信号光の全波長帯における出力レベルを一定に制御することを特徴とする光中継増幅装置。
【請求項６】
波長多重信号光を増幅する光増幅器と、前記光増幅器への入力信号光の伝播方向と順方向に伝播する補償光を注入する補償光源と、前記光増幅器の出力信号光を減衰する光可変減衰器と、前記光可変減衰器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記光可変減衰器による出力信号光の減衰量を制御する出力制御手段と、前記光増幅器の利得傾斜を検出する利得傾斜検出手段と、前記利得傾斜検出手段により検出される利得傾斜に応じて前記補償光源の出力光を調節して利得傾斜を制御する利得傾斜制御手段と、を有し、
前記出力制御手段および前記利得傾斜制御手段は、出力信号光における各波長帯毎に所望の利得傾斜を与えつつ、該出力信号光の全波長帯における出力レベルを一定に制御することを特徴とする光中継増幅装置。
【請求項７】
波長多重信号光を増幅する光増幅器と、前記光増幅器への入力信号光の伝播方向と順方向に伝播する補償光を注入する補償光源と、前記光増幅器の出力信号光を減衰する光可変減衰器と、前記光可変減衰器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記補償光源の出力光を制御する出力制御手段と、前記光増幅器の利得傾斜を検出する利得傾斜検出手段と、前記利得傾斜検出手段により検出される利得傾斜に応じて前記光可変減衰器による出力信号光の減衰量を調節して利得傾斜を制御する利得傾斜制御手段と、を有し、
前記出力制御手段および前記利得傾斜制御手段は、出力信号光における各波長帯毎に所望の利得傾斜を与えつつ、該出力信号光の全波長帯における出力レベルを一定に制御することを特徴とする光中継増幅装置。
【請求項８】
波長多重信号光を増幅する第１の光増幅器と、前記第１の光増幅器の出力信号光を減衰する光可変減衰器と、前記光可変減衰器の出力信号光を増幅する第２の光増幅器と、前記第２の光増幅器の出力側で出力レベルを検出する出力検出手段と、前記出力検出手段により検出される出力レベルに応じて前記光可変減衰器による出力信号光の減衰量を制御する出力制御手段と、前記第２の光増幅器の利得傾斜を検出する利得傾斜検出手段と、前記利得傾斜検出手段により検出される利得傾斜に応じて前記第１の光増幅器と前記第２の光増幅器の励起光源の出力光を調節して利得傾斜を制御する利得傾斜制御手段と、を有し、
前記出力制御手段および前記利得傾斜制御手段は、出力信号光における各波長帯毎に所望の利得傾斜を与えつつ、該出力信号光の全波長帯における出力レベルを一定に制御することを特徴とする光中継増幅装置。
【請求項９】
波長多重信号光を増幅する第１の光増幅器と、前記第１の光増幅器の出力信号光を減衰する光可変減衰器と、前記光可変減衰器の出力信号光を増幅する第２の光増幅器と、前記第２の光増幅器の出力側で出力レベルを検出する出力検出手段と、前記出力検出手段により検出される出力レベルに応じて前記第１の光増幅器と前記第２の光増幅器の励起光源の出力光を制御する出力制御手段と、前記第２の光増幅器の利得傾斜を検出する利得傾斜検出手段と、前記利得傾斜検出手段により検出される利得傾斜に応じて前記光可変減衰器による出力信号光の減衰量を調節して利得傾斜を制御する利得傾斜制御手段と、を有し、
前記出力制御手段および前記利得傾斜制御手段は、出力信号光における各波長帯毎に所望の利得傾斜を与えつつ、該出力信号光の全波長帯における出力レベルを一定に制御することを特徴とする光中継増幅装置。
【請求項１０】
波長多重信号光を増幅する第１の光増幅器と、前記第１の光増幅器への入力信号光の伝播方向と順方向に伝播する補償光を注入する補償光源と、前記第１の光増幅器の出力信号光を減衰する光可変減衰器と、前記光可変減衰器の出力信号光を増幅する第２の光増幅器と、前記第２の光増幅器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記光可変減衰器による出力信号光の減衰量を制御する出力制御手段と、前記第２の光増幅器の利得傾斜を検出する利得傾斜検出手段と、前記利得傾斜検出手段により検出される利得傾斜に応じて前記補償光源の出力光を調節して利得傾斜を制御する利得傾斜制御手段と、を有し、
前記出力制御手段および前記利得傾斜制御手段は、出力信号光における各波長帯毎に所望の利得傾斜を与えつつ、該出力信号光の全波長帯における出力レベルを一定に制御することを特徴とする光中継増幅装置。
【請求項１１】
波長多重信号光を増幅する第１の光増幅器と、前記第１の増幅器への入力信号光の伝播方向と順方向に伝播する補償光を注入する補償光源と、前記第１の光増幅器の出力信号光を減衰する光可変減衰器と、前記光可変減衰器の出力信号光を増幅する第２の光増幅器と、前記第２の光増幅器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記補償光源の出力光を制御する出力制御手段と、前記第２の光増幅器の利得傾斜を検出する利得傾斜検出手段と、前記利得傾斜検出手段により検出される利得傾斜に応じて前記光可変減衰器による出力信号光の減衰量を調節して利得傾斜を制御する利得傾斜制御手段と、を有し、
前記出力制御手段および前記利得傾斜制御手段は、出力信号光における各波長帯毎に所望の利得傾斜を与えつつ、該出力信号光の全波長帯における出力レベルを一定に制御することを特徴とする光中継増幅装置。
【請求項１２】
波長多重信号光を増幅する第１の光増幅器と、
前記第１の光増幅器への入力信号光の伝播方向と順方向に伝播する補償光を注入する補償光源と、
前記第１の光増幅器の出力信号光を増幅する第２の光増幅器と、
前記第２の光増幅器の出力側で補償光を遮断し、信号光のみを透過させる波長選択手段と、
前記波長選択手段の出力側で信号光の出力レベルを検出する出力検出手段と、
前記出力検出手段により検出される出力レベルに応じて前記第１の光増幅器と前記第２の光増幅器の出力光を制御する出力制御手段と、
前記第２の光増幅器の利得傾斜を検出する利得傾斜検出手段と、
前記利得傾斜検出手段により検出される利得傾斜に応じて前記補償光源の出力光を調節して利得傾斜を制御する利得傾斜制御手段と、
を有し、
前記出力制御手段および前記利得傾斜制御手段は、出力信号光における各波長帯毎に所望の利得傾斜を与えつつ、該出力信号光の全波長帯における出力レベルを一定に制御することを特徴とする光中継増幅装置。
【請求項１３】
波長多重信号光を増幅する第１の光増幅器と、前記第１の光増幅器への入力信号光の伝播方向と順方向に伝播する補償光を注入する補償光源と、前記第１の光増幅器の出力信号光を増幅する第２の光増幅器と、前記第２の光増幅器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記補償光源の出力光を制御する出力制御手段と、前記第２の光増幅器の利得傾斜を検出する利得傾斜検出手段と、前記利得傾斜検出手段により検出される利得傾斜に応じて前記第１の光増幅器と前記第２の光増幅器の励起光源の出力光を調節して利得傾斜を制御する利得傾斜制御手段と、を有し、
前記出力制御手段および前記利得傾斜制御手段は、出力信号光における各波長帯毎に所望の利得傾斜を与えつつ、該出力信号光の全波長帯における出力レベルを一定に制御することを特徴とする光中継増幅装置。
【請求項１４】
前記利得傾斜検出手段は、波長多重信号光を分波し、最短波と最長波の光信号レベルから利得傾斜を検出するものであることを特徴とする請求項１〜１３のいずれか一つに記載の光中継増幅装置。
【請求項１５】
前記利得傾斜検出手段は、波長多重信号光を分波し、３波以上の光信号レベルから利得傾斜を検出するものであることを特徴とする請求項１〜１３のいずれか一つに記載の光中継増幅装置。
【請求項１６】
最短波と最長波の光信号にそれぞれ異なる周波数成分を重畳された波長多重信号光を入力し、前記利得傾斜検出手段は、各波長の光信号に重畳された周波数成分を検波して利得傾斜を検出するものであることを特徴とする請求項１〜１３のいずれか一つに記載の光中継増幅装置。
【請求項１７】
３波以上の光信号にそれぞれ異なる周波数成分を重畳された波長多重信号光を入力し、前記利得傾斜検出手段は、光信号に重畳された周波数成分を検波して利得傾斜を検出するものであることを特徴とする請求項１〜１３のいずれか一つに記載の光中継増幅装置。
【発明の詳細な説明】
【０００１】
【発明の属する技術分野】
この発明は、光増幅装置に関し、特に、波長多重伝送の光中継器等に利用される光増幅装置に関するものである。
【０００２】
【従来の技術】
インターネットをはじめとする通信需要の急激な増加により、近年、ネットワークの大容量化および高速化に関する研究開発、実用化が盛んになされている。信号伝送方式の一つとして、１本の伝送ファイバに複数の互いに異なる波長の信号光を多重して伝送する波長多重伝送方式が知られている。波長多重伝送方式による信号伝送では、各波長の信号ごとにそれぞれ情報を伝送することができ、大容量化に適している。希土類添加光ファイバで構成される光ファイバ増幅器（光増幅器）は、伝送速度に依存しない、中継器の簡素化が可能、入力される信号光を一括して増幅するといった特徴を持ち、波長多重伝送に適した増幅器である。
【０００３】
しかし、光増幅器には、利得の波長依存性があり、増幅後の各波長の光出力、或いは利得に波長間偏差を生ずることが知られている。このため、伝送後の光パワーには波長間偏差が生じる。特に、光増幅器による多段中継を行う場合には、各中継段における光増幅器による波長間偏差が積算されることになるため、伝送後の光パワーの波長間偏差が大きくなるという不具合を生じる。
【０００４】
上述の様な問題を解決するための光増幅器利得等化技術としては、たとえば、特開平９−２１１５０７号公報に示された技術（光等化増幅装置）がある。この光等化増幅装置は、波長多重光の増幅において、光入出力レベルを一定にすると共に、複数の波長成分の各出力レベルを等化する装置であり、図１２に示されているように、入力端子１０１と出力端子１０２との間に、光増幅器１０３と可変光減衰器１０４とを有している。
【０００５】
光増幅器１０３は、励起率が高いときには長波長側の利得が小さく、励起率が低いときには短波長側の利得が小さくなる利得傾斜特性を示す。すなわち、光増幅器１０３は、励起率が高いときには、波長に対する利得の傾きが負になり、励起率が低いときには、波長に対する利得の傾きが正になる。励起率を変化させる手段として、励起パワーを制御する手段と、増幅器に入力する信号光の光レベルを制御する手段がある。
【０００６】
上述のような光増幅装置では、入力された波長多重信号は光増幅器１０３で増幅され、光増幅器１０３の出力側で各波長のレベルを検出し、各波長のレベル（利得）が等化になるよう光増幅器１０３の励起パワーを制御（ゲイン制御）する。また可変光減衰器１０４の出力側で出力レベルを検出し、一定の光レベルになるよう可変光減衰器１０４による出力信号光の減衰量を制御（出力制御）する。
【０００７】
しかしながら、伝送路や受動デバイスには波長依存性減衰を有しており、光増幅器の入力で異なるレベルの光信号が受信される。この要因によって、波長によって光レベルに偏差が生じてしまう。１台の光増幅器によって生じる光レベルの偏差は小さいが、たとえば、大陸間を結ぶ海底ケーブルのような長距離伝送においては、数十台から数百台の光増幅器が設けられているので、上述したような偏差が累積すると、特定の信号波長のチャネルにおいて光レベルが小さくなり、光信号対雑音比の劣化を招くおそれがある。
【０００８】
ここで、多重化された波長のうち、最も低いパワーの波長信号が伝送後の受信パワーの下限値であるので、最大伝送距離は、最も低いパワーの波長信号によって制限される。したがって、伝送後の波長間偏差を低減することが最大中継伝送距離を拡大させる上で重要となる。伝送後の光信号対雑音比のチャネルばらつきや、受信特性のばらつきを小さくするものとして、送信側で予め利得傾斜を付ける（プリエンファシスをする）技術がある。また、インライン自動利得傾斜補償器を伝送路に挿入してもよい。
【０００９】
【発明が解決しようとする課題】
しかしながら、大きなプリエンファシスの付与は、光ＳＮＲを減少させ、また距離平均の信号光パワーの上昇に起因する伝送路の非線形効果により、信号波形を歪ませることになる。また、プリエンファシスの効果は、伝送距離が長くなるにつれて小さくなると云う不具合を含んでいる。これに対し、インライン自動利得傾斜補償器では、光ＳＮＲ及び受信特性の過剰な劣化を抑えることができるが、補償器の信頼性や装置コストが高くなると云った別の問題が生じる。
【００１０】
この発明は、上述の如き問題点を解消するためになされたもので、波長多重光の増幅において、プリエンファシスの付与によらず、また補償器の信頼性や装置コストが高くなると云った別の問題を生じることなく、光出力レベルを一定にすると共に、利得傾斜を制御できる光増幅装置を得ることを目的としている。
【００１１】
【課題を解決するための手段】
上記目的を達成するために、この発明による光中継増幅装置は、入力信号光を増幅する光増幅器と、前記光増幅器の出力レベルを検出する出力検出手段と、前記出力検出手段により検出される出力レベルに応じて前記光増幅器の出力レベルを制御する出力制御手段と、前記光増幅器の波長に関する利得傾斜を検出する利得傾斜検出手段と、前記利得傾斜検出手段により検出される利得傾斜に応じて前記光増幅器の利得傾斜を制御する利得傾斜制御手段とを有し、前記出力制御手段および前記利得傾斜制御手段は、出力信号光における各波長帯毎に所望の利得傾斜を与えつつ、該出力信号光の全波長帯における出力レベルを一定に制御することを特徴とするものである。
【００１２】
つぎの発明による光中継増幅装置は、波長多重信号光を増幅する光増幅器と、前記光増幅器の出力信号光を減衰する光可変減衰器と、前記光可変減衰器の出力側で出力レベルを検出する出力検出手段と、前記出力検出手段により検出される出力レベルに応じて前記光可変減衰器による出力信号光の減衰量を制御する出力制御手段と、前記光増幅器の波長に関する利得傾斜を検出する利得傾斜検出手段と、前記利得傾斜検出手段により検出される利得傾斜に応じて前記光増幅器の励起光源の出力光を調節して利得傾斜を制御する利得傾斜制御手段とを有し、前記出力制御手段および前記利得傾斜制御手段は、出力信号光における各波長帯毎に所望の利得傾斜を与えつつ、該出力信号光の全波長帯における出力レベルを一定に制御することを特徴とするものである。
【００１３】
つぎの発明による光中継増幅装置は、波長多重信号光を増幅する光増幅器と、前記光増幅器の出力信号光を減衰する光可変減衰器と、前記光可変減衰器の出力側で出力レベルを検出する出力検出手段と、前記出力検出手段により検出される出力レベルに応じて前記光増幅器の励起光源の出力光を制御する出力制御手段と、前記光増幅器の波長に関する利得傾斜を検出する利得傾斜検出手段と、前記利得傾斜検出手段により検出される利得傾斜に応じて前記光可変減衰器による出力信号光の減衰量を調節して利得傾斜を制御する利得傾斜制御手段とを有し、前記出力制御手段および前記利得傾斜制御手段は、出力信号光における各波長帯毎に所望の利得傾斜を与えつつ、該出力信号光の全波長帯における出力レベルを一定に制御することを特徴とするものである。
【００１４】
つぎの発明による光中継増幅装置は、波長多重信号光を増幅する光増幅器と、前記光増幅器への入力信号光の伝播方向と順方向に伝播する補償光を注入する補償光源と、前記光増幅器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記補償光源の出力光を制御する出力制御手段と、前記光増幅器の利得傾斜を検出する利得傾斜検出手段と、前記利得傾斜検出手段により検出される利得傾斜に応じて前記光増幅器の励起光源の出力光を調節して利得傾斜を制御する利得傾斜制御手段とを有し、前記出力制御手段および前記利得傾斜制御手段は、出力信号光における各波長帯毎に所望の利得傾斜を与えつつ、該出力信号光の全波長帯における出力レベルを一定に制御することを特徴とするものである。
【００１５】
つぎの発明による光中継増幅装置は、波長多重信号光を増幅する光増幅器と、前記光増幅器への入力信号光の伝播方向と順方向に伝播する補償光を注入する補償光源と、前記光増幅器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記光増幅器の励起光源の出力光を制御する出力制御手段と、光増幅器の利得傾斜を検出する利得傾斜検出手段と、前記利得傾斜検出手段により検出される利得傾斜に応じて前記補償光源の出力光を調節して利得傾斜を制御する利得傾斜制御手段とをとを有し、前記出力制御手段および前記利得傾斜制御手段は、出力信号光における各波長帯毎に所望の利得傾斜を与えつつ、該出力信号光の全波長帯における出力レベルを一定に制御することを特徴とするものである。
【００１６】
つぎの発明による光中継増幅装置は、波長多重信号光を増幅する光増幅器と、前記光増幅器への入力信号光の伝播方向と順方向に伝播する補償光を注入する補償光源と、前記光増幅器の出力信号光を減衰する光可変減衰器と、前記光可変減衰器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記光可変減衰器による出力信号光の減衰量を制御する出力制御手段と、前記光増幅器の利得傾斜を検出する利得傾斜検出手段と、前記利得傾斜検出手段により検出される利得傾斜に応じて前記補償光源の出力光を調節して利得傾斜を制御する利得傾斜制御手段とを有し、前記出力制御手段および前記利得傾斜制御手段は、出力信号光における各波長帯毎に所望の利得傾斜を与えつつ、該出力信号光の全波長帯における出力レベルを一定に制御することを特徴とするものである。
【００１７】
つぎの発明による光中継増幅装置は、波長多重信号光を増幅する光増幅器と、前記光増幅器への入力信号光の伝播方向と順方向に伝播する補償光を注入する補償光源と、前記光増幅器の出力信号光を減衰する光可変減衰器と、前記光可変減衰器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記補償光源の出力光を制御する出力制御手段と、前記光増幅器の利得傾斜を検出する利得傾斜検出手段と、前記利得傾斜検出手段により検出される利得傾斜に応じて前記光可変減衰器による出力信号光の減衰量を調節して利得傾斜を制御する利得傾斜制御手段とを有し、前記出力制御手段および前記利得傾斜制御手段は、出力信号光における各波長帯毎に所望の利得傾斜を与えつつ、該出力信号光の全波長帯における出力レベルを一定に制御することを特徴とするものである。
【００１８】
つぎの発明による光中継増幅装置は、波長多重信号光を増幅する第１の光増幅器と、前記第１の光増幅器の出力信号光を減衰する光可変減衰器と、前記光可変減衰器の出力信号光を増幅する第２の光増幅器と、前記第２の光増幅器の出力側で出力レベルを検出する出力検出手段と、前記出力検出手段により検出される出力レベルに応じて前記光可変減衰器による出力信号光の減衰量を制御する出力制御手段と、前記第２の光増幅器の利得傾斜を検出する利得傾斜検出手段と、前記利得傾斜検出手段により検出される利得傾斜に応じて前記第１の光増幅器と前記第２の光増幅器の励起光源の出力光を調節して利得傾斜を制御する利得傾斜制御手段とを有し、前記出力制御手段および前記利得傾斜制御手段は、出力信号光における各波長帯毎に所望の利得傾斜を与えつつ、該出力信号光の全波長帯における出力レベルを一定に制御することを特徴とするものである。
【００１９】
つぎの発明による光中継増幅装置は、波長多重信号光を増幅する第１の光増幅器と、前記第１の光増幅器の出力信号光を減衰する光可変減衰器と、前記光可変減衰器の出力信号光を増幅する第２の光増幅器と、前記第２の光増幅器の出力側で出力レベルを検出する出力検出手段と、前記出力検出手段により検出される出力レベルに応じて前記第１の光増幅器と前記第２の光増幅器の励起光源の出力光を制御する出力制御手段と、前記第２の光増幅器の利得傾斜を検出する利得傾斜検出手段と、前記利得傾斜検出手段により検出される利得傾斜に応じて前記光可変減衰器による出力信号光の減衰量を調節して利得傾斜を制御する利得傾斜制御手段とを有し、前記出力制御手段および前記利得傾斜制御手段は、出力信号光における各波長帯毎に所望の利得傾斜を与えつつ、該出力信号光の全波長帯における出力レベルを一定に制御することを特徴とするものである。
【００２０】
つぎの発明による光中継増幅装置は、波長多重信号光を増幅する第１の光増幅器と、前記第１の光増幅器への入力信号光の伝播方向と順方向に伝播する補償光を注入する補償光源と、前記第１の光増幅器の出力信号光を減衰する光可変減衰器と、前記光可変減衰器の出力信号光を増幅する第２の光増幅器と、前記第２の光増幅器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記光可変減衰器による出力信号光の減衰量を制御する出力制御手段と、前記第２の光増幅器の利得傾斜を検出する利得傾斜検出手段と、前記利得傾斜検出手段により検出される利得傾斜に応じて前記補償光源の出力光を調節して利得傾斜を制御する利得傾斜制御手段とを有し、前記出力制御手段および前記利得傾斜制御手段は、出力信号光における各波長帯毎に所望の利得傾斜を与えつつ、該出力信号光の全波長帯における出力レベルを一定に制御することを特徴とするものである。
【００２１】
つぎの発明による光中継増幅装置は、波長多重信号光を増幅する第１の光増幅器と、前記第１の増幅器への入力信号光の伝播方向と順方向に伝播する補償光を注入する補償光源と、前記第１の光増幅器の出力信号光を減衰する光可変減衰器と、前記光可変減衰器の出力信号光を増幅する第２の光増幅器と、前記第２の光増幅器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記補償光源の出力光を制御する出力制御手段と、前記第２の光増幅器の利得傾斜を検出する利得傾斜検出手段と、前記利得傾斜検出手段により検出される利得傾斜に応じて前記光可変減衰器による出力信号光の減衰量を調節して利得傾斜を制御する利得傾斜制御手段とを有し、前記出力制御手段および前記利得傾斜制御手段は、出力信号光における各波長帯毎に所望の利得傾斜を与えつつ、該出力信号光の全波長帯における出力レベルを一定に制御することを特徴とするものである。
【００２２】
つぎの発明による光中継増幅装置は、波長多重信号光を増幅する第１の光増幅器と、前記第１の光増幅器への入力信号光の伝播方向と順方向に伝播する補償光を注入する補償光源と、前記第１の光増幅器の出力信号光を増幅する第２の光増幅器と、前記第２の光増幅器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記第１の光増幅器と前記第２の光増幅器の出力光を制御する出力制御手段と、前記第２の光増幅器の利得傾斜を検出する利得傾斜検出手段と、前記利得傾斜検出手段により検出される利得傾斜に応じて前記補償光源の出力光を調節して利得傾斜を制御する利得傾斜制御手段とを有し、前記出力制御手段および前記利得傾斜制御手段は、出力信号光における各波長帯毎に所望の利得傾斜を与えつつ、該出力信号光の全波長帯における出力レベルを一定に制御することを特徴とするものである。
【００２３】
つぎの発明による光中継増幅装置は、波長多重信号光を増幅する第１の光増幅器と、前記第１の光増幅器への入力信号光の伝播方向と順方向に伝播する補償光を注入する補償光源と、前記第１の光増幅器の出力信号光を増幅する第２の光増幅器と、前記第２の光増幅器の出力側で補償光を遮断し、信号光のみを透過させる波長選択手段と、前記波長選択手段の出力側で信号光の出力レベルを検出する出力検出手段と、前記出力検出手段により検出される出力レベルに応じて前記補償光源の出力光を制御する出力制御手段と、前記第２の光増幅器の利得傾斜を検出する利得傾斜検出手段と、前記利得傾斜検出手段により検出される利得傾斜に応じて前記第１の光増幅器と前記第２の光増幅器の励起光源の出力光を調節して利得傾斜を制御する利得傾斜制御手段とを有し、前記出力制御手段および前記利得傾斜制御手段は、出力信号光における各波長帯毎に所望の利得傾斜を与えつつ、該出力信号光の全波長帯における出力レベルを一定に制御することを特徴とするものである。
【００２４】
つぎの発明による光中継増幅装置は、前記利得傾斜検出手段が、波長多重信号光を分波し、最短波と最長波の光信号レベルから利得傾斜を検出することを特徴とするものである。
【００２５】
つぎの発明による光中継増幅装置は、前記利得傾斜検出手段が、波長多重信号光を分波し、３波以上の光信号レベルから利得傾斜を検出することを特徴とするものである。
【００２６】
つぎの発明による光中継増幅装置は、最短波と最長波の光信号にそれぞれ異なる周波数成分を重畳された波長多重信号光を入力し、前記利得傾斜検出手段は、各波長の光信号に重畳された周波数成分を検波して利得傾斜を検出することを特徴とするものである。
【００２７】
つぎの発明による光中継増幅装置は、３波以上の光信号にそれぞれ異なる周波数成分を重畳された波長多重信号光を入力し、前記利得傾斜検出手段は、光信号に重畳された周波数成分を検波して利得傾斜を検出することを特徴とするものである。
【００２８】
【発明の実施の形態】
以下に、添付の図を参照して、この発明にかかる光増幅装置の実施の形態を詳細に説明する。
【００２９】
実施の形態１．
図１はこの発明による光増幅装置の実施の形態１を示している。図１において、１は入力端子、２は出力端子、３は光増幅器、４は光可変減衰器、５は出力検出手段、６は出力制御手段、７は利得傾斜検出手段、８は利得傾斜制御手段をそれぞれ示している。
【００３０】
実施の形態１による光増幅装置は、光増幅器３と、光可変減衰器４と、出力検出手段５と、出力制御手段６と、利得傾斜検出手段７と、利得傾斜制御手段８とを有している。光増幅器３は、図示されていない光ファイバを接続される入力端子１に入力する波長多重信号光を増幅する。
【００３１】
光可変減衰器４は、光増幅器３の出力信号光を可変減衰するものであり、たとえば、磁気光学効果を利用したファラデー回転子で実現することができる。このほか、光可変減衰器４は、ＬｉＮｂＯ3 の電気光学効果や、音響光学的な効果を利用したもので構成することも可能である。
【００３２】
出力検出手段５は、光可変減衰器４の出力レベルを検出し、その検出値を出力制御手段６に出力する。出力制御手段６は、出力検出手段５により検出される出力レベルが一定となるように、前記検出値に応じて光可変減衰器４による出力信号光の減衰量を制御する。
【００３３】
利得傾斜検出手段７は、光可変減衰器４の出力から利得傾斜を検出し、その検出値を利得傾斜制御手段８に出力する。利得傾斜制御手段８は、利得傾斜検出手段７によって検出される利得傾斜（検出値）に応じて光増幅器３の励起光を調節し、利得傾斜を適正値に制御する。
【００３４】
図２は、利得傾斜制御例を示している。この利得傾斜制御例では、光増幅器３の入力レベルを−８ｄＢｍ、光可変減衰器４の出力レベルを＋１ｄＢｍとし、光増幅器３の利得Ｇをそれぞれ９、１１、１３ｄＢとして制御している。これより、光増幅器３の利得Ｇのみを制御することで、利得傾斜が制御されていることが分かる。上述のような制御により、波長多重光の増幅において、光出力レベルを一定にすると共に、利得傾斜を制御できる光増幅装置を実現することができる。
【００３５】
つぎに、利得傾斜検出手段７の具体例を図３を参照して説明する。この利得傾斜検出手段７は、波長多重信号光を分波し、最短波長λ1 と最長波長λn の光信号レベルから利得傾斜を検出するものであり、光増幅器３の波長多重光出力、厳密には光可変減衰器４の波長多重光出力のうち、最短波長λ1 と最長波長λn の成分のみを波長選択手段９によって分離し、そのそれぞれを光検出手段１０−１と１０−ｎに送る。なお、波長選択手段９は光フィルタを用いて容易に構成することができ、光検出手段１０−１、１０−ｎとしては、フォトダイオード、アバランシェフォトダイオード、フォトカウンタなどを用いることができる。
【００３６】
ここでは、最短波長光λ1 を光検出手段１０−１に送り、最長波長光λn を光検出手段１０−ｎに送る。光検出手段１０−１および１０−ｎは、それぞれ受信した光を電気信号に変換して信号光の最短波長λ1 のレベルと最長波長λn のレベルを検出し、各検出値を利得傾斜検出回路１１へ送る。利得傾斜検出回路１１は、最短波長λ1 のレベルと最長波長λn のレベルとを比較することで、利得傾斜を検出することができる。
【００３７】
なお、以上説明した実施の形態では、最短波長λ1 と最長波長λn の成分から利得傾斜を検出しているが、これ以外に、３波以上の光信号レベルから利得傾斜を検出してもよい。この場合には、波長多重された光信号を該多重された波長の数だけ波長選択手段を挿入してもよく、波長λ1 、λ2 、…、λn を多重された信号光を、波長選択手段で、それぞれ波長λ1 、λ2 、…、λn について分離して光検出手段に送る。その後は、上述の実施の形態の場合と同様の動作となる。
【００３８】
また、送信側で、最短波λ1 と最長波λn の光信号に、それぞれ異なる周波数成分を重畳し、各波長の光信号に重畳された周波数成分を検波して利得傾斜を検出することもでき、低周波トーン信号重畳方式を採用することにより、累積自然放出光雑音の影響の無い、正確な利得制御が可能になる。この場合の利得傾斜検出手段７の構成例を図４を参照して説明する。利得傾斜検出手段７は、光検出手段１０と、バンドパスフィルタ（ＢＰＦ）１２−１，１２−ｎと、レベル検出手段１３−１，１３−ｎと、利得傾斜検出回路１４とにより構成されている。
【００３９】
光中継器の波長多重光出力を光検出手段１０に入力し、検出信号の中から各波長に割り当てられた周波数成分をバンドパスフィルタ１２−１，１２−ｎでそれぞれ抽出し、その周波数成分の信号光の各レベルをレベル検出手段１３−１，１３−ｎで検出する。
【００４０】
ここでは、バンドパスフィルタ１２−１で最短波長λ1 に重畳されている周波数成分f1を、バンドパスフィルタ１２−ｎで最長波長λｎに重畳されている周波数成分fnをそれぞれ抽出する。レベル検出手段１３−１および１３−ｎは、それぞれ抽出した周波数成分f1とfnのそれぞれのレベルを検出し、その各検出値を利得傾斜検出回路１４へ送る。利得傾斜検出回路１４は、その周波数成分のレベルを比較することで利得傾斜を検出する。
【００４１】
なお、上述した実施の形態では、最短波長と最長波長のみに異なる周波数成分を重畳して利得傾斜を検出しているが、３波以上の光信号のそれぞれに異なる周波数成分を重畳し、利得傾斜検出回路は、重畳された各周波数成分を検波して利得傾斜を検出してもよい。この場合、各光送信器の出力する光の波長、および重畳する正弦波信号の周波数を互いに相違させる必要がある。また、利得傾斜検出手段７では、重畳する周波数に応じた数のバンドパスフィルタおよびレベル検出手段を用意する。また各バンドパスフィルタの中心周波数は重畳される正弦波信号の周波数に対応させる。
【００４２】
実施の形態２．
図５はこの発明による光増幅装置の実施の形態２を示している。なお、図５において、図１に対応する部分は、図１に付した符号と同一の符号を付けて、その説明を省略する。
【００４３】
実施の形態２による光増幅装置は、光増幅器３と、光可変減衰器４と、出力検出手段５と、出力制御手段１５と、利得傾斜検出手段７と、利得傾斜制御手段１６とを有している。
【００４４】
出力制御手段１５は、出力検出手段５により検出される出力レベルに応じて、その出力レベルが一定となるよう光増幅器３の励起光源の出力光を制御する。利得傾斜制御手段１６は、利得傾斜検出手段７により検出される利得傾斜に応じて光可変減衰器４による出力信号光の減衰量を調節して利得傾斜を最適値に制御する。
【００４５】
上述のような制御により、実施の形態１の場合と同様に、波長多重光の増幅において、光出力レベルを一定にすると共に、利得傾斜を制御できる光増幅装置を実現することができる。
【００４６】
実施の形態３．
図６はこの発明による光増幅装置の実施の形態３を示している。なお、図６において、図１に対応する部分は、図１に付した符号と同一の符号を付けて、その説明を省略する。
【００４７】
実施の形態３による光増幅装置は、光増幅器３と、補償光源１７と、波長選択手段１８と、出力検出手段５と、出力制御手段１９と、利得傾斜検出手段７と、利得傾斜制御手段８とを有している。
【００４８】
補償光源１７は、光増幅器３への入力信号光の伝播方向と順方向に伝播する補償光を光増幅器３の入力側に注入する。この場合、光増幅器３の利得は信号光と補償光の合計パワーによって変化し、このため、補償光のパワーによって信号光のパワーが変化し、出力端子２における波長多重光のレベルが変化する。波長選択手段１８は、たとえば、光リジェクションフィルタやカプラによって構成され、光増幅器３の出力光のうち、補償光源１７の波長の光（補償光）のみを遮断し、その他の波長多重光を透過させる。
【００４９】
出力検出手段５は、波長選択手段１８の出力側で波長多重光の出力レベルを検出し、その検出値を出力制御手段１９に出力する。出力制御手段１９は、出力検出手段５により検出される出力レベルが一定となるように、前記検出値に応じて補償光源１７の出力レベルを制御する。利得傾斜検出手段７は、光可変減衰器４の出力から利得傾斜を検出し、その検出値を利得傾斜制御手段８に出力する。利得傾斜制御手段８は、利得傾斜検出手段７によって検出される利得傾斜（検出値）に応じて光増幅器３の励起光を調節し、利得傾斜を適正値に制御する。
【００５０】
したがって、この実施の形態でも、実施の形態１の場合と同様に、波長多重光の増幅において、光出力レベルを一定にすると共に、利得傾斜を制御できる光増幅装置を実現することができる。
【００５１】
実施の形態４．
図７は、この発明による光増幅装置の実施の形態４を示している。なお、図７において、図５、図６に対応する部分は、図５、図６に付した符号と同一の符号を付けて、その説明を省略する。
【００５２】
実施の形態４による光増幅装置は、光増幅器３と、補償光源１７と、波長選択手段１８と、出力検出手段５と、出力制御手段１５と、利得傾斜検出手段７と、利得傾斜制御手段２０とを有している。
【００５３】
出力検出手段５は、波長選択手段１８の出力側で波長多重光の出力レベルを検出し、その検出値を出力制御手段１５に出力する。出力制御手段１５は、出力検出手段５により検出される出力レベルが一定となるように、前記検出値に応じて光増幅器３の励起光源の出力光を制御する。利得傾斜検出手段７は、光可変減衰器４の出力から利得傾斜を検出し、その検出値を利得傾斜制御手段２０に出力する。利得傾斜制御手段２０は、利得傾斜検出手段７によって検出される利得傾斜（検出値）に応じて補償光源１７の出力レベルを調節し、利得傾斜を適正値に制御する。
【００５４】
したがって、この実施の形態でも、実施の形態１の場合と同様に、波長多重光の増幅において、光出力レベルを一定にすると共に、利得傾斜を制御できる光増幅装置を実現することができる。
【００５５】
実施の形態５．
図８は、この発明による光増幅装置の実施の形態５を示している。なお、図８において、図１、図７に対応する部分は、図１、図７に付した符号と同一の符号を付けて、その説明を省略する。
【００５６】
実施の形態５による光増幅装置は、光増幅器３と、光可変減衰器４と、補償光源１７と、波長選択手段１８と、出力検出手段５と、出力制御手段６と、利得傾斜検出手段７と、利得傾斜制御手段２０とを有している。
【００５７】
出力検出手段５は、波長選択手段１８の出力側で波長多重光の出力レベルを検出し、その検出値を出力制御手段６に出力する。出力制御手段６は、出力検出手段５により検出される出力レベルが一定となるように、前記検出値に応じて光可変減衰器４による出力信号光の減衰量を制御する。利得傾斜検出手段７は、光可変減衰器４の出力から利得傾斜を検出し、その検出値を利得傾斜制御手段２０に出力する。利得傾斜制御手段２０は、実施の形態４と同様に、利得傾斜検出手段７によって検出される利得傾斜（検出値）に応じて補償光源１７の出力レベルを調節し、利得傾斜を適正値に制御する。
【００５８】
したがって、この実施の形態でも、実施の形態１の場合と同様に、波長多重光の増幅において、光出力レベルを一定にすると共に、利得傾斜を制御できる光増幅装置を実現することができる。
【００５９】
実施の形態６．
図９は、この発明による光増幅装置の実施の形態６を示している。なお、図９において、図５、図６に対応する部分は、図５、図６に付した符号と同一の符号を付けて、その説明を省略する。
【００６０】
実施の形態６による光増幅装置は、光増幅器３と、光可変減衰器４と、補償光源１７と、波長選択手段１８と、出力検出手段５と、出力制御手段１９と、利得傾斜検出手段７と、利得傾斜制御手段１６とを有している。
【００６１】
出力検出手段５は、波長選択手段１８の出力側で波長多重光の出力レベルを検出し、その検出値を出力制御手段１９に出力する。出力制御手段１９は、実施の形態３と同様に、出力検出手段５により検出される出力レベルが一定となるように、前記検出値に応じて補償光源１７の出力レベルを制御する。利得傾斜検出手段７は、光可変減衰器４の出力から利得傾斜を検出し、その検出値を利得傾斜制御手段１６に出力する。利得傾斜制御手段１６は、実施の形態２と同様に、利得傾斜検出手段７により検出される利得傾斜に応じて光可変減衰器４による出力信号光の減衰量を調節して利得傾斜を最適値に制御する。
【００６２】
したがって、この実施の形態でも、実施の形態１の場合と同様に、波長多重光の増幅において、光出力レベルを一定にすると共に、利得傾斜を制御できる光増幅装置を実現することができる。
【００６３】
実施の形態７．
図１０は、この発明による光増幅装置の実施の形態７を示している。なお、図１０において、図１に対応する部分は、図１に付した符号と同一の符号を付けて、その説明を省略する。
【００６４】
実施の形態７による光増幅装置は、第１の光増幅器３−１と、第２の光増幅器３−２と、光可変減衰器４と、出力検出手段５−１および５−２と、出力制御手段６と、利得傾斜検出手段７と、利得傾斜制御手段２３と、入力検出手段２１−１および２１−２と、利得制御手段２４−１および２４−２とを有している。
【００６５】
第１の光増幅器３−１の利得と第２の光増幅器３−２の利得は常に同一とする。第２の光増幅器３−２の出力レベルを出力検出手段５−２でモニタし、そのレベルが一定となるように出力制御手段６を用いて光可変減衰器４を制御する。光可変減衰器４の減衰量Ａは、第１の光増幅器３−１の利得と第２の光増幅器３−２の利得を共にＧ、第１の光増幅器３−１の入力レベルをＰ１、第２の光増幅器３−２の出力レベルをＰ２とすれば、Ａ＝Ｐ２−Ｐ１−２×Ｇと一意に決まる。一方、利得傾斜Ｄは、Ｄ＝Ｄ（Ｇ）と利得Ｇの関数で表される。
【００６６】
すなわち、利得傾斜Ｄは第１の光増幅器３−１と第２の光増幅器３−２の利得Ｇによって一意に決めうることができる。光増幅器の利得Ｇのみを外部から与えることにより入出力レベルを変化させずに利得傾斜を制御できる。
【００６７】
図１１は、利得傾斜制御例を示している。この利得傾斜制御例では、第１の光増幅器３−１の入力レベルＰ１を−８ｄＢｍ、第２の光増幅器３−２の出力レベルＰ２を＋３ｄＢｍとし、増幅器の利得Ｇをそれぞれ９、１１、１３ｄＢとして制御している。増幅器の利得Ｇのみを制御することで、利得傾斜が制御されていることが分かる。
【００６８】
したがって、この実施の形態でも、実施の形態１の場合と同様に、波長多重光の増幅において、光出力レベルを一定にすると共に、利得傾斜を制御できる光増幅器を実現することができる。
【００６９】
実施の形態８．
図１２は、この発明の光増幅器の実施の形態８を示している。なお、図１２において、図５、図１０に対応する部分は、図５、図１０に付した符号と同一の符号を付けてその説明を省略する。
【００７０】
実施の形態８による光増幅装置は、第１の光増幅器３−１と、第２の光増幅器３−２と、光可変減衰器４と、出力検出手段５−１および５−２と、出力制御手段１５と、利得傾斜検出手段７と、利得傾斜制御手段１６と、入力検出手段２１−１および２１−２と、利得制御手段２４−１および２４−２とを有している。
【００７１】
出力制御手段１５は、出力検出手段５−２により検出される出力レベルに応じて、その出力レベルが一定となるように第１の光増幅器３−１と第２の光増幅器３−２の励起光源の出力光を制御する。その際、第１の光増幅器３−１の利得と第２の光増幅器３−２の利得が等しくなるように利得制御手段２４−１と利得制御手段２４−２は励起光源の出力光を制御する。利得傾斜制御手段１６は、利得傾斜検出手段７により検出される利得傾斜に応じて光可変減衰器４による出力信号光の減衰量を調節して利得傾斜を最適値に制御する。
【００７２】
したがって、この実施の形態でも、実施の形態１の場合と同様に、波長多重光の増幅において、光出力レベルを一定にすると共に、利得傾斜を制御できる光増幅器を実現することができる。
【００７３】
実施の形態９．
図１３は、この発明による光増幅器の実施の形態９を示している。
【００７４】
実施の形態９による光増幅装置は、第１の光増幅器３−１と、第２の光増幅器３−２と、光可変減衰器４と、第１の補償光源１７−１と、第２の補償光源１７−２と、第１の波長選択手段１８−１と、第２の波長選択手段１８−２と、出力検出手段５−１および５−２と、出力制御手段６と、利得傾斜検出手段７と、利得傾斜制御手段２０と、入力検出手段２１−１および２１−２と、利得制御手段２４−１および２４−２とを有している。なお、１は入力端子、２は出力端子である。
【００７５】
出力検出手段５−２は、第２の波長選択手段１８−２の出力側で波長多重光の出力レベルを検出し、その検出値を出力制御手段６に出力する。出力制御手段６は、出力検出手段５−２により検出される出力レベルが一定となるように、前記検出値に応じて光可変減衰器４による出力信号光の減衰量を制御する。利得傾斜検出手段７は、第２の波長選択手段１８−２の出力から利得傾斜を検出し、その検出値を利得傾斜制御手段２０に出力する。利得傾斜制御手段２０は、利得傾斜検出手段７によって検出される利得傾斜（検出値）に応じて第１の補償光源１７−１、第２の補償光源１７−２の出力レベルを調節し、利得傾斜を適正値に制御する。
【００７６】
したがって、この実施の形態でも、実施の形態１の場合と同様に、波長多重光の増幅において、光出力レベルを一定にすると共に、利得傾斜を制御できる光増幅器を実現することができる。
【００７７】
実施の形態１０．
図１４は、この発明による光増幅器の実施の形態１０を示している。
【００７８】
実施の形態１０による光増幅装置は、第１の光増幅器３−１と、第２の光増幅器３−２と、光可変減衰器４と、第１の補償光源１７−１と、第２の補償光源１７−２と、第１の波長選択手段１８−１と、第２の波長選択手段１８−２と、出力検出手段５−１および５−２と、出力制御手段１９と、利得傾斜検出手段７と、利得傾斜制御手段１６と、入力検出手段２１−１および２１−２と、利得制御手段２４−１および２４−２とを有している。なお、１は入力端子、２は出力端子である。
【００７９】
出力検出手段５−２は、第２の波長選択手段１８−２の出力側で波長多重光の出力レベルを検出し、その検出値を出力制御手段１９に出力する。出力制御手段１９は、出力検出手段５−２により検出される出力レベルが一定となるように、前記検出値に応じて第１の補償光源１７−１、第２の補償光源１７−２の出力レベルを制御する。利得傾斜検出手段７は、第２の波長選択手段１８−２の出力から利得傾斜を検出し、その検出値を利得傾斜制御手段１６に出力する。利得傾斜制御手段１６は、利得傾斜検出手段７によって検出される利得傾斜（検出値）に応じて光可変減衰器４による出力信号光の減衰量を調節し、利得傾斜を適正値に制御する。
【００８０】
したがって、この実施の形態でも、実施の形態１の場合と同様に、波長多重光の増幅において、光出力レベルを一定にすると共に、利得傾斜を制御できる光増幅器を実現することができる。
【００８１】
実施の形態１１．
図１５は、この発明による光増幅器の実施の形態１１を示している。
【００８２】
実施の形態１１による光増幅装置は、第１の光増幅器３−１と、第２の光増幅器３−２と、第１の補償光源１７−１と、第２の補償光源１７−２と、第１の波長選択手段１８−１と、第２の波長選択手段１８−２と、出力検出手段５−１および５−２と、出力制御手段１９と、利得傾斜検出手段７と、利得傾斜制御手段２３と、入力検出手段２１−１および２１−２と、利得制御手段２４−１および２４−２とを有している。なお、１は入力端子、２は出力端子である。
【００８３】
出力検出手段５−２は、第２の波長選択手段１８−２の出力側で波長多重光の出力レベルを検出し、その検出値を出力制御手段１９に出力する。出力制御手段１９は、出力検出手段５−２により検出される出力レベルが一定となるように、前記検出値に応じて第１の補償光源１７−１、第２の補償光源１７−２の出力レベルを制御する。利得傾斜検出手段７は、第２の波長選択手段１８−２の出力から利得傾斜を検出し、その検出値を利得傾斜制御手段２３に出力する。利得傾斜制御手段２３は、利得傾斜検出手段７によって検出される利得傾斜（検出値）に応じて第１の光増幅器３−１、第２の光増幅器３−２の励起光源の出力光を調節し、利得傾斜を適正値に制御する。
【００８４】
したがって、この実施の形態でも、実施の形態１の場合と同様に、波長多重光の増幅において、光出力レベルを一定にすると共に、利得傾斜を制御できる光増幅器を実現することができる。
【００８５】
実施の形態１２．
図１６は、この発明による光増幅器の実施の形態１２を示している。
【００８６】
実施の形態１２による光増幅装置は、第１の光増幅器３−１と、第２の光増幅器３−２と、第１の補償光源１７−１と、第２の補償光源１７−２と、第１の波長選択手段１８−１と、第２の波長選択手段１８−２と、出力検出手段５−１および５−２と、出力制御手段１５と、利得傾斜検出手段７と、利得傾斜制御手段２０と、入力検出手段２１−１および２１−２と、利得制御手段２４−１および２４−２とを有している。なお、１は入力端子、２は出力端子である。
【００８７】
出力検出手段５−２は、第２の波長選択手段１８−２の出力側で波長多重光の出力レベルを検出し、その検出値を出力制御手段１５に出力する。出力制御手段１５は、出力検出手段５−２により検出される出力レベルが一定となるように、前記検出値に応じて第１の光増幅器３−１、第２の光増幅器３−２の励起光源の出力光を制御する。利得傾斜検出手段７は、第２の波長選択手段１８−２の出力から利得傾斜を検出し、その検出値を利得傾斜制御手段２０に出力する。利得傾斜制御手段２０は、利得傾斜検出手段７によって検出される利得傾斜（検出値）に応じて第１の補償光源１７−１、第２の補償光源１７−２の出力光を調節し、利得傾斜を適正値に制御する。
【００８８】
したがって、この実施の形態でも、実施の形態１の場合と同様に、波長多重光の増幅において、光出力レベルを一定にすると共に、利得傾斜を制御できる光増幅器を実現することができる。
【００８９】
【発明の効果】
以上の説明から理解される如く、この発明による光中継増幅装置によれば、出力検出手段により検出される出力レベルに応じて光増幅器の出力レベルを制御し、利得傾斜検出手段により検出される利得傾斜に応じて光増幅器の利得傾斜を制御することが行われるから、波長多重光の増幅において、光出力レベルを一定にすると共に、利得傾斜を制御できる光増幅装置を実現することができる。
【００９０】
この発明による光中継増幅装置によれば、出力検出手段により検出される出力レベルに応じて光可変減衰器による出力信号光の減衰量を制御し、利得傾斜検出手段により検出される利得傾斜に応じて光増幅器の励起光源の出力光を調節して利得傾斜を制御することが行われるから、波長多重光の増幅において、光出力レベルを一定にすると共に、利得傾斜を制御できる光増幅装置を実現することができる。
【００９１】
この発明による光中継増幅装置によれば、出力検出手段により検出される出力レベルに応じて光増幅器の励起光源の出力光を制御し、利得傾斜検出手段により検出される利得傾斜に応じて光可変減衰器による出力信号光の減衰量を調節して利得傾斜を制御することが行われるから、波長多重光の増幅において、光出力レベルを一定にすると共に、利得傾斜を制御できる光増幅装置を実現することができる。
【００９２】
この発明による光中継増幅装置によれば、出力検出手段により検出される出力レベルに応じて前記補償光源の出力光を制御し、利得傾斜検出手段により検出される利得傾斜に応じて光増幅器の励起光源の出力光を調節することが行われるから、波長多重光の増幅において、光出力レベルを一定にすると共に、利得傾斜を制御できる光増幅装置を実現することができる。
【００９３】
この発明による光中継増幅装置によれば、出力検出手段により検出される出力レベルに応じて前記光増幅器の励起光源の出力光を制御し、利得傾斜検出手段により検出される利得傾斜に応じて補償光源の出力光を調節することが行われるから、波長多重光の増幅において、光出力レベルを一定にすると共に、利得傾斜を制御できる光増幅装置を実現することができる。
【００９４】
この発明による光中継増幅装置によれば、出力検出手段により検出される出力レベルに応じて光可変減衰器による出力信号光の減衰量を制御し、利得傾斜検出手段により検出される利得傾斜に応じて補償光源の出力光を調節することが行われるから、波長多重光の増幅において、光出力レベルを一定にすると共に、利得傾斜を制御できる光増幅装置を実現することができる。
【００９５】
この発明による光中継増幅装置によれば、出力検出手段により検出される出力レベルに応じて補償光源の出力光を制御し、利得傾斜検出手段により検出される利得傾斜に応じて光可変減衰器による出力信号光の減衰量を調節して利得傾斜を制御することが行われるから、波長多重光の増幅において、光出力レベルを一定にすると共に、利得傾斜を制御できる光増幅装置を実現することができる。
【００９６】
この発明による光中継増幅装置によれば、出力検出手段により検出される出力レベルに応じて光可変減衰器による出力信号光の減衰量を制御し、利得傾斜検出手段により検出される利得傾斜に応じて第１の光増幅器と第２の光増幅器の励起光源の出力光を調節して利得傾斜を制御することが行われるから、波長多重光の増幅において、光出力レベルを一定にすると共に、利得傾斜を制御できる光増幅装置を実現することができる。
【００９７】
この発明による光中継増幅装置によれば、出力検出手段により検出される出力レベルに応じて第１の光増幅器と第２の光増幅器の励起光源の出力光を制御し、利得傾斜検出手段により検出される利得傾斜に応じて光可変減衰器による出力信号光の減衰量を調節して利得傾斜を制御することが行われるから、波長多重光の増幅において、光出力レベルを一定にすると共に、利得傾斜を制御できる光増幅装置を実現することができる。
【００９８】
この発明による光中継増幅装置によれば、出力検出手段により検出される出力レベルに応じて光可変減衰器による出力信号光の減衰量を制御し、利得傾斜検出手段により検出される利得傾斜に応じて補償光源の出力光を調節して利得傾斜を制御することが行われるから、波長多重光の増幅において、光出力レベルを一定にすると共に、利得傾斜を制御できる光増幅装置を実現することができる。
【００９９】
この発明による光中継増幅装置によれば、出力検出手段により検出される出力レベルに応じて補償光源の出力光を制御し、利得傾斜検出手段により検出される利得傾斜に応じて光可変減衰器による出力信号光の減衰量を調節して利得傾斜を制御することが行われるから、波長多重光の増幅において、光出力レベルを一定にすると共に、利得傾斜を制御できる光増幅装置を実現することができる。
【０１００】
この発明による光中継増幅装置によれば、出力検出手段の出力に応じて第１と第２の光増幅器の励起光源の出力光を制御し、利得傾斜検出手段により検出される利得傾斜に応じて補償光源の出力光を調節して利得傾斜を制御することが行われるから、波長多重光の増幅において、光出力レベルを一定にすると共に、利得傾斜を制御できる光増幅装置を実現することができる。
【０１０１】
この発明による光中継増幅装置によれば、出力検出手段により検出される出力レベルに応じて補償光源の出力光を制御し、利得傾斜検出手段により検出される利得傾斜に応じて第１光増幅器の励起光源と第２の光増幅器の励起光源の出力光を調節して利得傾斜を制御することが行われるから、波長多重光の増幅において、光出力レベルを一定にすると共に、利得傾斜を制御できる光増幅装置を実現することができる。
【０１０２】
この発明による光中継増幅装置によれば、利得傾斜検出手段が、波長多重信号光を分波し、最短波と最長波の光信号レベルから利得傾斜を検出するから、利得傾斜の検出が的確に行われる。
【０１０３】
この発明による光中継増幅装置によれば、利得傾斜検出手段が、波長多重信号光を分波し、３波以上の光信号レベルから利得傾斜を検出するから、利得傾斜の検出が的確に行われる。
【０１０４】
この発明による光中継増幅装置によれば、利得傾斜検出手段が、各波長の光信号に重畳された周波数成分を検波して利得傾斜を検出するから、利得傾斜の検出が的確に行われる。
【０１０５】
この発明による光中継増幅装置によれば、利得傾斜検出手段が、光信号に重畳された周波数成分を検波して利得傾斜を検出するから、利得傾斜の検出が的確に行われる。
【図面の簡単な説明】
【図１】  この発明による光増幅装置の実施の形態１の構成を示す図である。
【図２】  実施の形態１による光増幅装置の利得傾斜制御例を示すグラフである。
【図３】  この発明による光増幅装置における利得傾斜検出手段の一つの実施の形態の構成を示す図である。
【図４】  この発明による光増幅装置における利得傾斜検出手段の他の実施の形態の構成を示す図である。
【図５】  この発明による光増幅装置の実施の形態２の構成を示す図である。
【図６】  この発明による光増幅装置の実施の形態３の構成を示す図である。
【図７】  この発明による光増幅装置の実施の形態４の構成を示す図である。
【図８】  この発明による光増幅装置の実施の形態５の構成を示す図である。
【図９】  この発明による光増幅装置の実施の形態６の構成を示す図である。
【図１０】  この発明による光増幅装置の実施の形態７の構成を示す図である。
【図１１】  実施の形態７による光増幅装置の利得傾斜制御例を示すグラフである。
【図１２】  この発明による光増幅装置の実施の形態８の構成を示す図である。
【図１３】  この発明による光増幅装置の実施の形態９の構成を示す図である。
【図１４】  この発明による光増幅装置の実施の形態１０の構成を示す図である。
【図１５】  この発明による光増幅装置の実施の形態１１の構成を示す図である。
【図１６】  この発明による光増幅装置の実施の形態１２の構成を示す図である。
【図１７】  光増幅装置の従来例の構成を示す図である。
【符号の説明】
１  入力端子、２  出力端子、３  光増幅器、３―１  第１の光増幅器、３―２  第２の光増幅器、４  光可変減衰器、５、５−１、５−２  出力検出手段、６  出力制御手段、７  利得傾斜検出手段、８  利得傾斜制御手段、９  波長選択手段、１０、１０―1 、１０―n   光検出手段、１１  利得傾斜検出回路、１２―1 、１２―n   バンドパスフィルタ、１３―1 、１３―n   レベル検出手段１４  利得傾斜検出回路、１５  出力制御手段、１６  利得傾斜制御手段、１７  補償光源、１８  波長選択手段、１９  出力制御手段、２０  利得傾斜制御手段、２１−１、２１−２  入力検出手段、２３  利得傾斜制御手段、２４−１、２４−２  利得制御手段。
【図１】
0003938270.tif 000002
【図２】
0003938270.tif 000003
【図３】
0003938270.tif 000004
【図４】
0003938270.tif 000005
【図５】
0003938270.tif 000006
【図６】
0003938270.tif 000007
【図７】
0003938270.tif 000008
【図８】
0003938270.tif 000009
【図９】
0003938270.tif 000010
【図１０】
0003938270.tif 000011
【図１１】
0003938270.tif 000012
【図１２】
0003938270.tif 000013
【図１３】
0003938270.tif 000014
【図１４】
0003938270.tif 000015
【図１５】
0003938270.tif 000016
【図１６】
0003938270.tif 000017
【図１７】
0003938270.tif 000018